(57)【特許請求の範囲】
【請求項１】
長手方向の長さの異なる第１の電源装置と第２の電源装置を着脱可能にする電源収納部を保有する電子機器において、
上記第１の電源装置を収納する第１の直方体状のスペースと、
この第１の直方体状のスペースの一部を形成し上記第１の電源装置を支持する支持部材と、
上記第１の電源装置からの電源供給を受ける第１の接続手段と、
上記第２の電源装置を収納する第２の直方体状のスペースと、
この第２の直方体状のスペースの一部を形成し上記第２の電源装置を支持する支持部材と、
上記第２の電源装置からの電源供給を受けると共に上記第２の電源装置の一部を支持する第２の接続手段とを備え、
上記第１の直方体状のスペースの長手方向と上記第２の直方体状のスペースの長手方向とが交わるように構成されていることを特徴とする電源収納部を保有する電子機器。
【請求項２】
収納された電源装置が第１の電源装置であることを、第１の接続手段を接続することにより検知することを特徴とする請求項１記載の電源収納部を保有する電子機器。
【請求項３】
収納された第１の電源装置の種類を、第１の接続手段を接続することにより検知することを特徴とする請求項１記載の電源収納部を保有する電子機器。
【請求項４】
第１の電源装置を収納する際に、第２の電源装置を支持する支持部材の一部が退避し、第１の電源装置を収納する第１の直方体状のスペースを確保することを特徴とする請求項１記載の電源収納部を保有する電子機器。
【請求項５】
収納された電源装置が第１の電源装置であることを、第２の電源装置を支持する支持部材の一部が退避することにより検知することを特徴とする請求項４記載の電源収納部を保有する電子機器。
【請求項６】
第１の電源装置を収納する際に、第２の接続手段が退避し、第１の電源装置を収納する第１の直方体状のスペースを確保することを特徴とする請求項１記載の電源収納部を保有する電子機器。
【発明の詳細な説明】
【０００１】
【発明の属する技術分野】
この発明は、乾電池やバッテリパックの電源収納部を保有する電子機器、特に電源収納部の改良に関するものである。
【０００２】
【従来の技術】
図１２は電子機器の筐体に設置された従来の電源収納部１１を示す斜視図であり、図において、２１はこの電源収納部１１に収納する電源から電圧供給を受けるコネクタである。また図１３は図１２における電源収納部１１にバッテリパック１を収納した平面図であり、図において、ｍ１，ｍ２はバッテリパック１のサイズを示し、２はバッテリパック１からの電源電圧を電子機器に供給するコネクタであり、電源収納部１１に設置されているコネクタ２１と接続されている。
【０００３】
図１４は図１２における電源収納部１１に複数の乾電池３を乾電池ホルダ４と共に収納した平面図である。図において、ｎ１，ｎ２は複数の乾電池３を集合させたときの全体外形のサイズを示す。乾電池ホルダ４は、その内径寸法がｎ１，ｎ２に形成され、複数の乾電池３を支持すると共に、その外形寸法がバッテリパック１のサイズｍ１，ｍ２に形成され、電源収納部１１に動かないように収納できるよう形成されている。この場合、複数の乾電池３は、例えば単３乾電池８ケを、２ケ直列に接続したものを４列に並べて全て直列に接続したものとする。５は複数の乾電池３からの電源電圧を電子機器に供給するコネクタであり、電源収納部１１に設置されているコネクタ２１と接続されている。
【０００４】
複数の乾電池３は非常用として使用されるが、バッテリパック１は停電時にも使用可能にするために、ある程度の容量が必要になり、図１３、図１４に示すように、バッテリパック１のサイズｍ１，ｍ２は、複数の乾電池３のサイズｎ１，ｎ２より大きくなる。そこでバッテリパック１のサイズｍ１，ｍ２に合わせて電源収納部１１を形成すると、複数の乾電池３を動かないように電源収納部１１に収納させるためには、外形寸法がバッテリパック１のサイズｍ１，ｍ２と同一の乾電池ホルダ４に複数の乾電池３を固定し、複数の乾電池３を乾電池ホルダ４と一体化して、電源収納部１１に収納する必要がある。
【０００５】
【発明が解決しようとする課題】
従来の電源収納部を保有する電子機器は以上のように構成されているので、電源としてバッテリパック１を使用している場合、乾電池ホルダ４は不要となり、その保管場所が必要となるなどの課題があった。また携帯機器の場合には、乾電池ホルダ４を複数の乾電池３と共に携帯しなければならないという課題があった。
【０００６】
上記課題を解決するものとして、特開平８−８７９９４号公報に示されたものがある。これはバッテリパック装着部の相対する側面に、互いに軸線を一致させて断面略円弧状の複数の乾電池支持凹部を設けて、乾電池を装着可能なように構成したものである。また類似技術として、特開平８−３０６３５０号公報に示されたものもあるが、いずれの技術も乾電池装着のための特別な構造が必要になるという課題があった。
【０００７】
この発明は上記のような課題を解決するためになされたもので、従来使用していた乾電池ホルダを不要とすると共に、簡単な構造でバッテリパック及び乾電池を収容可能な電源収納部を保有する電子機器を得ることを目的とする。
【０００８】
【課題を解決するための手段】
この発明に係る電源収納部を保有する電子機器は、長手方向の長さの異なる第１の電源装置と第２の電源装置を着脱可能にするものにおいて、上記第１の電源装置を収納する第１の直方体状のスペースと、この第１の直方体状のスペースの一部を形成し上記第１の電源装置を支持する支持部材と、上記第１の電源装置からの電源供給を受ける第１の接続手段と、上記第２の電源装置を収納する第２の直方体状のスペースと、この第２の直方体状のスペースの一部を形成し上記第２の電源装置を支持する支持部材と、上記第２の電源装置からの電源供給を受けると共に上記第２の電源装置の一部を支持する第２の接続手段とを備え、上記第１の直方体状のスペースの長手方向と上記第２の直方体状のスペースの長手方向とが交わるように構成されているものである。
【０００９】
この発明に係る電源収納部を保有する電子機器は、収納された電源装置が第１の電源装置であることを、第１の接続手段を接続することにより検知するものである。
【００１０】
この発明に係る電源収納部を保有する電子機器は、収納された第１の電源装置の種類を、第１の接続手段を接続することにより検知するものである。
【００１１】
この発明に係る電源収納部を保有する電子機器は、第１の電源装置を収納する際に、第２の電源装置を支持する支持部材の一部が退避し、第１の電源装置を収納する第１の直方体状のスペースを確保するものである。
【００１２】
この発明に係る電源収納部を保有する電子機器は、収納された電源装置が第１の電源装置であることを、第２の電源装置を支持する支持部材の一部が退避することにより検知するものである。
【００１３】
この発明に係る電源収納部を保有する電子機器は、第１の電源装置を収納する際に、第２の接続手段が退避し、第１の電源装置を収納する第１の直方体状のスペースを確保するものである。
【００１４】
【発明の実施の形態】
以下、この発明の実施の一形態を説明する。
実施の形態１．
図１は電子機器の筐体に設置された実施の形態１による電源収納部１２を示す斜視図である。図において、電源収納部１２は、側面を構成している支持部材１２ａ，１２ｂ，１２ｃ，１２ｄ，１２ｅと、底面を構成している支持部材１２ｋにより構成されている。また一対の支持部材１２ｅの一方に、複数の乾電池（第２の電源装置）３の端子と接触する複数の端子（第２の接続手段）２２、支持部材１２ｅの他方に、複数の乾電池３の端子と接触する複数の端子２３が設けられている。さらにバッテリパック（第１の電源装置）１からの電源供給を受けるコネクタ（第１の接続手段）２１は、支持部材１２ｋの切りかき部分に埋め込まれている。
【００１５】
図２は図１における電源収納部１２にバッテリパック１を収納した平面図であり、コネクタ（第１の接続手段）２は電源収納部１２に設置されているコネクタ２１と接続され、バッテリパック１からの電源電圧が電子機器に供給される。図に示すように、ｍ１，ｍ２のサイズのバッテリパック１は、電源収納部１２の支持部材１２ａ，１２ｂ，１２ｃ，１２ｋにより支持され、動かないように電源収納部１２に収納されている。
【００１６】
図３は図１における電源収納部１２に複数の乾電池３を収納した平面図である。図に示すように、ｎ１，ｎ２のサイズの複数の乾電池３は、電源収納部１２の支持部材１２ｃ，１２ｄ，１２ｋにより支持されると共に、支持部材１２ｅに取り付けられている複数の端子２２及び複数の端子２３に、複数の乾電池３の端子が接触することにより、動かないように電源収納部１２に収納されている。図に示すように、一対の支持部材１２ｅ間の寸法は、複数の乾電池３のサイズｎ２より、端子２２及び端子２３の分だけ長いｎ２＋αとなっている。また複数の乾電池３からの電源は、端子２２及び端子２３より電子機器に供給される。
【００１７】
従来の電源収納部１１では、図１３及び図１４に示すように、バッテリパック１からの電源電圧はコネクタ２により、複数の乾電池３からの電源電圧はコネクタ５により、それぞれ電子機器へ供給されているが、この実施の形態１では、複数の乾電池３からの電源電圧はコネクタを使用せずに、複数の端子２２及び２３から供給されている。このコネクタの有無を利用して、電子機器の内部に搭載されているＣＰＵ（図示せず）は、電源収納部１２に収納された電源が、バッテリパック１であるか複数の乾電池３であるかを判断し、バッテリパック１が収納されている場合には、ＣＰＵは充電回路（図示せず）を動作させることができる。
【００１８】
図４は電源の種類の判定方法を示す図である。図において、電子機器側のコネクタ２１のピンＰ１及びＰ５は、電源からの電圧供給を受け電子機器へ接続するピンであり、ピンＰ２，Ｐ３，Ｐ４は、それぞれＣＰＵに接続されており、ピンＰ２は電源がバッテリパック１であることを示すピン、ピンＰ３はバッテリパック１がＮｉ−Ｃｄ電池であることを示すピン、ピンＰ４はバッテリパック１が鉛蓄電池であることを示すピンである。
【００１９】
そしてＮｉ−Ｃｄ電池側のコネクタ２は、ピンＰ１及びＰ５は電源電圧であり、Ｐ２及びＰ３がＰ５のＧＮＤ端子に接続されている。そのためＣＰＵは電源がバッテリパック１であり、しかもＮｉ−Ｃｄ電池であることを検知し、適切な充電回路を動作さることができる。また同様に、鉛蓄電池側のコネクタ２は、Ｐ２及びＰ４がＰ５のＧＮＤ端子に接続されているため、ＣＰＵは電源がバッテリパック１であり、しかも鉛蓄電池であることを検知することができる。
【００２０】
この実施の形態の電源収納部１２は、図１のように形成されているが、図５に示すように電源収納部１３を形成しても良い。この場合、バッテリパック１は、支持部材１３ａ，１３ｂ，１３ｃ，１３ｋにより支持され、複数の乾電池３は、支持部材１３ｄ，１３ｆ，１３ｋと、支持部材１３ｅに取り付けられた端子２２，２３により支持される。
【００２１】
以上のように、この実施の形態１によれば、従来使用していた乾電池ホルダを不要にできると共に、簡単な構造でバッテリパック及び複数の乾電池を収納可能な電源収納部を保有する電子機器を実現できるという効果が得られる。
【００２２】
また、電子機器の内部に搭載されているＣＰＵは、電源収納部に収納された電源が、コネクタの有無によりバッテリパックであるか複数の乾電池であるかを判断できると共に、バッテリパックの種類も検知できるいう効果が得られる。
【００２３】
実施の形態２．
図６は実施の形態２による電源収納部１２に複数の乾電池３を収納した平面図である。図において、３１は複数の乾電池３を支持する支持部材であり、図の垂直方向に移動可能なように取り付けられている。支持部材３１により、複数の乾電池３は、支持部材１２ｃ，１２ｄ，１２ｋ、端子２２，２３の他に、支持部材３１により支持されるので、さらに安定に動かないように電源収納部１２に収納される。
【００２４】
図７は図６における電源収納部１２に、複数の乾電池３を収納した断面図である。図に示すように、電源収納部１２の底面の支持部材１２ｋに、支持部材３１が図面の上下方向に移動可能になるように溝部１２ｕが設けられている。さらに支持部材３１に接点３２，溝部１２ｕの底部に接点３３が取り付けられ、接点３２及び接点３３より電子機器のＣＰＵに信号がいくようになっている。複数の乾電池３を収納した場合には、支持部材３１は下方に移動せず、接点３２及び接点３３は接触しない状態となっている。
【００２５】
図８は図６における電源収納部１２に、バッテリパック１を収納した断面図である。バッテリパック１を収納した場合には、バッテリパック１は、支持部材１２ａ，１２ｂ，１２ｃ，１２ｋにより支持されるが、支持部材３１は下方に移動することにより退避し、接点３２が接点３３に接触する状態となる。ＣＰＵは、接点３２と接点３３が接触したことを検知することにより、電源収納部１４にバッテリパック１が収納されたことを検知できる。
【００２６】
以上のように、この実施の形態２によれば、従来使用していた乾電池ホルダを不要にできると共に、簡単な構造でバッテリパック及び複数の乾電池をさらに安定に収納可能な電源収納部を保有する電子機器を実現できるという効果が得られる。
【００２７】
また、電子機器の内部に搭載されているＣＰＵは、電源収納部に収納された電源が、支持部材の移動によりバッテリパックであるか複数の乾電池であるかを判断できるという効果が得られる。
【００２８】
実施の形態３．
図９は実施の形態３による電源収納部１４を示す斜視図である。図に示すように、電源収納部１４は、支持部材１４ａ，１４ｂ，１４ｃ，１４ｄ，１４ｋ等により構成され、支持部材１４ｋにはバッテリパック１からの電源供給を受けるコネクタ２１、支持部材１４ｄには複数の乾電池３の端子と接触する端子２２、支持部材１４ｂには複数の乾電池３の端子と接触する端子２３が設置されている。
【００２９】
この実施の形態では、バッテリパック１のサイズｍ１と、複数の乾電池３のサイズｎ１が同じ寸法で、バッテリパック１のサイズｍ２が、複数の乾電池３のサイズｎ２より端子２２及び２３の電源収納部１４側への突出分だけ長いｎ２＋αとする。そこで電源収納部１４の支持部材１４ａと１４ｃ間の内側の寸法はｎ１（＝ｍ１）、支持部材１４ｂと１４ｄ間の内側の寸法はｎ２＋α（＝ｍ２）になるように形成されている。
【００３０】
この電源収納部１４に複数の乾電池３を収納する場合には、支持部材１４ａ，１４ｃ，１４ｋ及び端子２２，２３により、動かないように収納されるが、バッテリパック１を収納しようとすると、端子２２及び２３が邪魔になり収納できない。
【００３１】
図１０はバッテリパック１の収納時の断面図である。図において、４１は端子２２に取り付けられたバネ、４２は端子２３に取り付けられたバネである。そこで、バッテリパック１を収納する場合には、バネ４１，４２に対抗して複数の乾電池３用の端子２２及び２３を矢印方向に移動させるこにより退避させ、バッテリパック１を電源収納部１４に収納することができる。
【００３２】
図１１はバッテリパック１の収納時の断面図である。図において、１４ｕは底面の支持部材１４ｋに設けられた端子２２及び２３の退避用の溝である。バッテリパック１を収納する場合には、複数の乾電池３用の端子２２及び２３を退避用の溝１４ｕに移動させることにより、バッテリパック１を電源収納部１４に収納することができる。この場合、端子２２及び２３を退避させる手段については、適切な方法であればどのような手段でも良い。
【００３３】
このように、バッテリパック１の寸法と、複数の乾電池３の寸法が近似している場合には、複数の乾電池３用の端子２２及び２３を移動退避させる構造にすることにより、電源収納部をより小型に形成できる。
【００３４】
この実施の形態においても、実施の形態２と同様に、端子２２及び２３の移動に伴い接触する接点（図示せず）を備えれば、ＣＰＵは電源収納部１４にバッテリパック１が収納されたことを検知できる。
【００３５】
以上のように、この実施の形態３によれば、従来使用していた乾電池ホルダを不要にすることができると共に、簡単な構造でバッテリパック及び複数の乾電池を収納可能な小型の電源収納部を保有する電子機器を実現できるという効果が得られる。
【００３６】
また、電子機器の内部に搭載されているＣＰＵは、電源収納部に収納された電源が、支持部材の移動によりバッテリパックであるか複数の乾電池であるかを判断できるという効果が得られる。
【００３７】
【発明の効果】
以上のように、この発明によれば、長手方向の長さの異なる第１の電源装置と第２の電源装置を着脱可能にするものにおいて、第１の電源装置を収納する第１の直方体状のスペースと、この第１の直方体状のスペースの一部を形成し第１の電源装置を支持する支持部材と、第１の電源装置からの電源供給を受ける第１の接続手段と、第２の電源装置を収納する第２の直方体状のスペースと、この第２の直方体状のスペースの一部を形成し第２の電源装置を支持する支持部材と、第２の電源装置からの電源供給を受けると共に第２の電源装置の一部を支持する第２の接続手段とを備え、第１の直方体状のスペースの長手方向と第２の直方体状のスペースの長手方向とが交わるように構成されているので、従来使用していた乾電池ホルダを不要にできると共に、簡単な構造でバッテリパック及び複数の乾電池を収納可能な電源収納部を保有する電子機器を実現できる効果がある。
【００３８】
この発明によれば、第１の接続手段を接続することにより、電源収納部に収納された電源が、バッテリパックであるか複数の乾電池であるかを検知できる効果がある。
【００３９】
この発明によれば、第１の接続手段を接続することにより、電源収納部に収納されたバッテリパックの種類を検知できる効果がある。
【００４０】
この発明によれば、第１の電源装置を収納する際に、第２の電源装置を支持する支持部材の一部が退避し、第１の電源装置を収納する第１の直方体状のスペースを確保するように構成したので、従来使用していた乾電池ホルダを不要にできると共に、簡単な構造でバッテリパック及び複数の乾電池をさらに安定に収納可能な電源収納部を保有する電子機器を実現できる効果がある。
【００４１】
この発明によれば、第２の電源装置を支持する支持部材の一部が退避することにより、収納された電源装置が第１の電源装置であることを検知できる効果が得られる。
【００４２】
この発明によれば、第１の電源装置を収納する際に、第２の接続手段が退避し、第１の電源装置を収納する第１の直方体状のスペースを確保するように構成したので、従来使用していた乾電池ホルダを不要にすることができると共に、簡単な構造でバッテリパック及び複数の乾電池を収納可能な小型の電源収納部を保有する電子機器を実現できる効果が得られる。
【図面の簡単な説明】
【図１】  この発明の実施の形態１による電源収納部を示す斜視図である。
【図２】  この発明の実施の形態１による電源収納部にバッテリパックを収納した平面図である。
【図３】  この発明の実施の形態１による電源収納部に複数の乾電池を収納した平面図である。
【図４】  この発明の実施の形態１による電源の種類の判定方法を示す図である。
【図５】  この発明の実施の形態１による電源収納部を示す斜視図である。
【図６】  この発明の実施の形態２による電源収納部に複数の乾電池を収納した平面図である。
【図７】  この発明の実施の形態２による電源収納部に複数の乾電池を収納した断面図である。
【図８】  この発明の実施の形態２による電源収納部にバッテリパックを収納した断面図である。
【図９】  この発明の実施の形態３による電源収納部を示す斜視図である。
【図１０】  この発明の実施の形態３によるバッテリパックの収納時の断面図である。
【図１１】  この発明の実施の形態３によるバッテリパックの収納時の断面図である。
【図１２】  従来の電源収納部を示す斜視図である。
【図１３】  従来の電源収納部にバッテリパックを収納した平面図である。
【図１４】  従来の電源収納部に複数の乾電池を収納した平面図である。
【符号の説明】
１  バッテリパック（第１の電源装置）、２，２１  コネクタ（第１の接続手段）、３  複数の乾電池（第２の電源装置）、１２，１３，１４  電源収納部、１２ａ，１２ｂ，１２ｃ，１２ｄ，１２ｋ，１３ａ，１３ｂ，１３ｃ，１３ｄ，１３ｆ，１３ｋ，１４ａ，１４ｃ，１４ｋ，３１  支持部材、２２，２３  端子（第２の接続手段）。
【図１】
0003667514.tif 000002
【図２】
0003667514.tif 000003
【図３】
0003667514.tif 000004
【図４】
0003667514.tif 000005
【図５】
0003667514.tif 000006
【図６】
0003667514.tif 000007
【図７】
0003667514.tif 000008
【図８】
0003667514.tif 000009
【図９】
0003667514.tif 000010
【図１０】
0003667514.tif 000011
【図１１】
0003667514.tif 000012
【図１２】
0003667514.tif 000013
【図１３】
0003667514.tif 000014
【図１４】
0003667514.tif 000015